(57)【特許請求の範囲】
【請求項１】
容器本体と、この容器本体の外側に設けられた周側枠と、を備えた包装用容器であって、
前記容器本体は、複数の辺部を有する平面視形状とされた底板部と、その周縁に立設された側壁部とを備え、
前記辺部に形成された側壁部の端部は、前記周側枠より高く形成され、
前記側壁部の両端部の間の中間部には、前記端部より低く形成された低縁部が形成されていることを特徴とする包装用容器。
【請求項２】
前記低縁部は、前記辺部の略中央に向けて徐々に低くなる傾斜部を有することを特徴とする請求項１に記載の包装用容器。
【請求項３】
前記周側枠の高さは、前記容器本体の低縁部の最低部の高さと同じまたはそれより低くされていることを特徴とする請求項１または２に記載の包装用容器。
【請求項４】
前記側壁部は、前記底板部の周縁から立ち上がる起立部と、その上縁から外方に折り返されて垂下する折り返し部とを有し、
前記折り返し部の外側面は、前記上縁に向け内方に傾斜して形成されていることを特徴とする請求項１〜３のうちいずれか１項に記載の包装用容器。
【請求項５】
前記折り返し部の外側面には、前記容器本体の開口部に着脱可能に取り付けられる蓋に形成された蓋係止部に係止する凸部または凹部である容器係止部が形成されていることを特徴とする請求項１〜４のうちいずれか１項に記載の包装用容器。
【請求項６】
前記容器係止部は、外方に突出して形成された係止凸部であることを特徴とする請求項５に記載の包装用容器。
【請求項７】
前記底板部の略中央には、位置表示突起が形成されていることを特徴とする請求項１〜６のうちいずれか１項に記載の包装用容器。
【請求項８】
請求項１〜７のうちいずれか１項に記載の包装用容器の前記容器本体の開口部に着脱可能に取り付けられる蓋であって、前記低縁部に沿って形成された蓋段部を有することを特徴とする蓋。
【請求項９】
請求項１〜７のうちいずれか１項に記載の包装用容器に、請求項８に記載の蓋を装着したことを特徴とする蓋付き包装用容器。
【請求項１０】
請求項１〜７のうちいずれか１項に記載の包装用容器の前記容器本体に、被包装物である食品を入れ、前記包装用容器に、請求項８に記載の蓋を装着したことを特徴とする食品包装体。
【発明の詳細な説明】
【技術分野】
【０００１】
本発明は、食品等の被包装物を収容するのに好適な包装用容器、この包装用容器に取り付けられる蓋、蓋付き包装用容器、および食品包装体に関するものである。
【背景技術】
【０００２】
従来から、弁当や惣菜等の食品を収容する容器として、樹脂製の包装用容器が広く普及している。これらの包装用容器においては、食品を盛りつけたときの見栄えの良さも重要な品質となっている。
この種の包装用容器としては、食品等を収容する容器本体の外側に、発泡性樹脂板などからなる周側枠を設けた包装用容器がある（例えば、特許文献１〜３参照。）。
この容器では、周側枠によって高級感を演出できるため、見栄えを良くし、商品価値を高めることができる。また、周側枠によって断熱性が高められるため、電子レンジによる加熱によって食品等が高温になった場合でも、容器を手で持ったときにやけどの危険が少ないという利点がある。
【特許文献１】特開２００５−２６３２８３号公報
【特許文献２】特開２００５−２６３２８４号公報
【特許文献３】特開２００２−１６６９７８号公報
【発明の開示】
【発明が解決しようとする課題】
【０００３】
しかしながら、この種の包装用容器は周側枠を有するため、複数を積み重ねたときの高さが大きくなり、運送や保管に要するコストがかさむという問題がある。周側枠を低く形成すれば積み重ね高さを低くできるが、周側枠が低くなると容器本体が目立ってしまい、見栄えの点では劣る。
本発明は上記事情を鑑みてなされたものであって、積み重ね高さを低くでき、しかも見栄えを良くして商品価値を高めることができる包装用容器、この包装用容器に取り付けられる蓋、蓋付き包装用容器、および食品包装体を提供することを目的とする。
【課題を解決するための手段】
【０００４】
本発明の包装用容器は、容器本体と、この容器本体の外側に設けられた周側枠と、を備えた包装用容器であって、前記容器本体は、複数の辺部を有する平面視形状とされた底板部と、その周縁に立設された側壁部とを備え、前記辺部に形成された側壁部の端部は、前記周側枠より高く形成され、前記側壁部の両端部の間の中間部には、前記端部より低く形成された低縁部が形成されていることを特徴とする。
本発明の包装用容器において、前記低縁部は、前記辺部の略中央に向けて徐々に低くなる傾斜部を有する形状としてよい。
本発明の包装用容器において、前記周側枠の高さは、前記容器本体の低縁部の最低部の高さと同じまたはそれより低くされていることが好ましい。
本発明の包装用容器において、前記側壁部は、前記底板部の周縁から立ち上がる起立部と、その上縁から外方に折り返されて垂下する折り返し部とを有し、前記折り返し部の外側面は、前記上縁に向け内方に傾斜して形成されていることが好ましい。
本発明の包装用容器において、前記折り返し部の外側面には、前記容器本体の開口部に着脱可能に取り付けられる蓋に形成された蓋係止部に係止する凸部または凹部である容器係止部が形成されていることが好ましい。
本発明の包装用容器において、前記容器係止部は、外方に突出して形成された係止凸部であることが好ましい。
本発明の包装用容器において、前記底板部の略中央には、位置表示突起が形成されていることが好ましい。
【０００５】
本発明の蓋は、前記本発明にかかる包装用容器の前記容器本体の開口部に着脱可能に取り付けられる蓋であって、前記低縁部に沿って形成された蓋段部を有することを特徴とする。
本発明の蓋付き包装用容器は、前記本発明にかかる包装用容器に、前記蓋を装着したことを特徴とする。
本発明の食品包装体は、前記本発明にかかる包装用容器の前記容器本体に、被包装物である食品を入れ、前記包装用容器に、前記蓋を装着したことを特徴とする。
【発明の効果】
【０００６】
本発明の包装用容器では、側壁部に低縁部が形成されているため、低縁部がない場合に比べて容器本体が目立ちにくくなる。外観の点で優れた周側枠を目立たせることができるため、包装用容器の見栄えを良くすることができる。
例えば、周側枠に木目の装飾を施せば、高級感のある木製の折り箱に近いイメージを利用者に喚起させることができ、商品価値を高めることができる。
周側枠を目立たせることができるため、周側枠を低く形成した場合でも外観が良好となる。
外観を劣化させずに周側枠を低く形成できるため、複数積み重ねたときの高さを低くでき、運送や保管に要するコストを抑えることができる。
この包装用容器では、側壁部の端部が高く形成されているため、低縁部が形成されているにもかかわらず、被包装物（食品等）の収容量が大きく劣ることはない。
また、側壁部の端部は周側枠より高く形成されているので、包装用容器を安定に積み重ねることができる。
【発明を実施するための最良の形態】
【０００７】
図１は、本発明の包装用容器の一例である包装用容器１０を示す斜視図である。図２は、包装用容器１０の正面図である。図３は、包装用容器１０を示すもので、（ａ）は平面図、（ｂ）は側断面図、（ｃ）は正断面図である。図４は、包装用容器１０の要部を示す断面図である。図５は、包装用容器１０に装着可能な蓋３を示すもので、（ａ）は平面図、（ｂ）は側面図、（ｃ）は正面図である。図６は、包装用容器１０および蓋３からなる蓋付き包装用容器を示す斜視図である。図７は、蓋付き包装用容器を示す側面図である。図８は、蓋付き包装用容器の要部を示す断面図である。図９は、２つの包装用容器１０を積み重ねた状態を示す断面図である。なお、これらの図面における縮尺は必ずしも正確ではない。
以下の説明において、図４に示すように、水平方向に沿って容器外部から内部に向かう方向を内方といい、その逆方向を外方という。
【０００８】
図１〜図３に示すように、包装用容器１０は、容器本体１と、容器本体１の外側に設けられた周側枠２とからなる。
容器本体１は、底板部４と、その周縁に立設された側壁部５とを備え、その内部は被包装物を収容可能な収容部６となっている。
図示例において、底板部４の平面視形状は長辺部４ａ、４ａと短辺部４ｂ、４ｂとを有する略長方形とされている（図３を参照）。
図４に示すように、底板部４は、ほぼ水平に配置された略長方形の平板状の平板部４ｃと、平板部４ｃの周縁から外方に傾斜して垂下する脚部４ｄとを有する。
【０００９】
図４に示すように、底板部４は、周側枠２の下端より高い位置に形成することができる。これによって、包装用容器１０を床面Ｆ１に置いたときに容器本体１が床面Ｆ１から離間するため、容器本体１と床面Ｆ１との間の熱の出入りが少なくなり、保温性能を高めることができる。
図３に示すように、底板部４の上面の略中央には、上方に突出した位置表示突起７が形成されている。位置表示突起７の形状は特に限定されず、例えば円錐台形状、半球状などとすることができる。
位置表示突起７によって、容器本体１の中央位置を確認できるため、食品等の被包装物を盛りつけする際に盛りつけ位置を定めるのが容易となる。
【００１０】
図１および図３に示すように、側壁部５は、底板部４の周縁に立設されており、長辺部４ａに形成された長辺側壁部５ａと、短辺部４ｂに形成された短辺側壁部５ｂとを有する。このため、容器本体１は、底板部４と同様に平面視略長方形となっている。
なお、容器本体１の平面視形状は、図示例に限らず、複数の辺部を有する形状であればよい。例えば、略多角形状、具体的には、略四角形、略五角形、略六角形、略八角形とすることができる。特に、陳列や積み重ねが容易で、取り扱いにも優れた略四角形、例えば正方形、長方形、菱形、平行四辺形、台形が好ましい。
【００１１】
図４に示すように、側壁部５は、底板部４の周縁から立ち上がる起立部８と、起立部８の上縁から外方に折り返されて垂下する折り返し部９とを有する。
起立部８は、底板部４の周縁から断面略円弧状に上方に湾曲しつつ外方に延びる湾曲部１１と、湾曲部１１の外縁からほぼ水平に外方に延びる段部１２と、段部１２の外縁から上方に向けて外方に傾斜しつつ延出する内板部１３とを有する。
湾曲部１１は、外方に向けて、水平面に対する傾斜角度が徐々に大きくなるように湾曲しており、最上部の接線方向は内板部１３の傾斜方向に近くなっている。
包装用容器１０では、側壁部５が湾曲部１１を有するので、側壁部５の内側面が垂直方向Ｖ１に近い一定角度である場合に比べ、容器本体１内の被包装物（食品等）のボリューム感が増して見栄えが良くなる。
【００１２】
折り返し部９は、内板部１３の上縁からほぼ水平に外方に延びる頂板部１５と、頂板部１５の外縁から斜め下方に傾斜して延出する外板部１６と、外板部１６から外方に突出して形成された断面円弧状の段部１７と、段部１７の下端から外方に延びる鍔部１８とを有する。
【００１３】
外板部１６は、上方に行くに従って内方にほぼ一定の角度で傾斜しており、外側面の傾斜角度、すなわち図４に示す垂直方向Ｖ１（平板部４ｃに対し垂直な方向）に対する傾斜角度α１は、例えば２〜２０度とすることができる。
外板部１６を傾斜させて形成することによって、外板部１６が垂直である場合に比べて容器本体１が目立ちにくくなる。外観の点で優れた周側枠２を目立たせることができるため、包装用容器１０の見栄えを良くすることができる。
【００１４】
外板部１６は、周側枠２の内面に近接させて形成することができる。外板部１６を周側枠２に近接した位置に形成することによって、周側枠２が固定凹部２４にて内方に曲げ変形した場合に、周側枠２を内側から支え、それ以上の変形を防ぐことができる。
【００１５】
図１〜図３に示すように、辺部４ａ、４ｂに形成された側壁部５の端部５ｃは、周側枠２より高く形成されている。端部５ｃは、略長方形の容器本体１の角部に相当する部分である。
端部５ｃが周側枠２より高く形成されているため、被包装物が容器本体１からこぼれ落ちにくい。また、複数の包装用容器１０を安定に積み重ねることができる。
【００１６】
側壁部５の中間部、すなわち側壁部５の両端部５ｃ、５ｃの間には、端部５ｃより低く形成された低縁部２０が形成されている。
低縁部２０は、側壁部５の上縁が凹状に形成された部分であり、図示例では、辺部４ａ、４ｂの略中央に形成された中央底部２１と、中央底部２１の両端から端部５ｃ、５ｃ近傍にわたって形成された傾斜部２２とを有する概略台形状の凹部である。
【００１７】
中央底部２１は、ほぼ水平に形成された直線状部分であり、低縁部２０の最低部である。図示例では、中央底部２１の高さ位置は周側枠２の上端部の高さ位置とほぼ同じであるが、中央底部２１の高さ位置は周側枠２の上端部より高くてもよい。
傾斜部２２は、端部５ｃ、５ｃに近い位置から中央底部２１の端部に向けて徐々に低くなるように傾斜している。傾斜部２２はほぼ一定の角度で傾斜している。なお、傾斜部の角度は一定でなくてもよい。
図示例では、低縁部２０における頂板部１５は、低い部分ほど幅広くされ、中央底部２１において最も幅広に形成されている。これによって、低い位置でも被包装物（食品等）がこぼれ落ちにくくなる。
【００１８】
低縁部２０を形成することによって、低縁部２０がない場合に比べて容器本体１が目立ちにくくなる。外観の点で優れた周側枠２を目立たせることができるため、包装用容器１０の見栄えを良くすることができる。
図示例では、低縁部２０は傾斜部２２を有する形状であるので、被包装物がこぼれ落ちやすい端部５ｃに近い位置ほど側壁部５は高く形成されることになる。このため、容器本体１の収容量の低下を抑制することができる。
なお、低縁部２０は、端部５ｃより低く形成されていればよく、その形状は図示例に限定されない。例えば、矩形状、略Ｕ字状、略Ｖ字状、略円弧状などの凹部とすることができる。
【００１９】
端部５ｃ近傍の外板部１６の外側面の上部には、蓋３に形成された蓋係止部３９に係止する係止凸部１９（容器係止部）が形成されている。
係止凸部１９は、側壁部５の延在方向に沿って、外板部１６の外面から外方に向かって突出して形成された突条であり、辺部４ａ、４ｂの両端にそれぞれ形成されている。係止凸部１９の断面形状は特に限定されず、例えば略台形状、略半円状などとすることができる。
なお、蓋が容器本体に係止する構造は図示例に限らず、外板部１６の外側面に、容器係止部である係止凹部を形成し、この係止凹部に蓋係止部３９が係止する構造を採用することもできる。
【００２０】
図９に示すように、係止凸部１９の突出高さは、容器本体１および周側枠２を、複数積み重ねたときに、下に位置する包装用容器１０の容器本体１の上部が、上に位置する包装用容器１０の周側枠２内に収容可能となるように設定される。
係止凸部１９の突出高さは、下に位置する包装用容器１０の係止凸部１９の先端が、上に位置する包装用容器１０の周側枠２の内面に近接するように設定すると、複数の包装用容器１０を積み重ねた際に、包装用容器１０の水平方向の位置ずれが起こりにくくなるため望ましい。
【００２１】
容器本体１および蓋３は樹脂シートを成形して構成することができる。樹脂としては例えばポリプロピレン（ＰＰ）、ポリエチレンテレフタレート（ＰＥＴ）、あるいはポリスチレン（ＰＳ）等が利用できる。
成形法としては、真空成形、圧空成形、真空圧空成形などを採用できる。
【００２２】
図１〜図３に示すように、周側枠２は、容器本体１の外形に沿う形状とされ、図示例では平面視略長方形の一定高さの枠体である。
図４に示すように、周側枠２は、ほぼ垂直方向Ｖ１に沿って形成されている。周側枠２は、ある程度の厚みをもつ板材で形成することができ、例えば厚さ２〜８ｍｍの発泡樹脂製の板材が使用できる。
【００２３】
周側枠２の外面には木目模様などの装飾を施すことによって、高級感を与えることができる。
周側枠２の内面には、容器本体１が固定される固定凹部２４が形成されている。図示例では、固定凹部２４は、容器本体１の鍔部１８が挿入される断面矩形状の溝状とされ、水平方向に沿って周側枠２の内面に形成されている。
図４に示す例では、固定凹部２４の内面（下面２４ａ）に鍔部１８の下面が当接し、接着剤等により固定されている。
周側枠２の高さは、低縁部２０の中央底部２１の高さと同じまたはそれより低くすることができる。これによって、包装用容器１０を複数積み重ねたときの高さを低くできる。
【００２４】
図５および図６に示すように、蓋３は、容器本体１の開口部に着脱可能に取り付けられるものであって、天板部３１と、その周縁から垂下した蓋側壁部３２とを有する。
蓋側壁部３２は、天板部３１の外縁から下方に向けて外方に傾斜しつつ延出する側板部３３と、側板部３３の下端からほぼ水平に外方に突出して形成された水平延出部３４と、水平延出部３４の外縁から垂下する垂下部３５と、垂下部３５の下端からほぼ水平に外方に延出する先端延出部３６とを有する。
【００２５】
図７および図８に示すように、側板部３３には、容器本体１の上縁に沿って形成された蓋段部３８が形成されている。蓋段部３８は、側板部３３が折り曲げられて外方に延出した部分であり、側板部３３の全周に沿って形成されている。
図７に示すように、蓋段部３８は、蓋３を包装用容器１０に装着したときに側壁部５の上縁に沿うように形成されている。低縁部２０に相当する位置の蓋段部３８は、低縁部２０の形状に即して下方に突出して形成されている。
【００２６】
図８に示すように、側板部３３の下部には、容器本体１の係止凸部１９に係止する蓋係止部３９が形成されている。蓋係止部３９は、側板部３３の内面に、内方に突出して形成されており、蓋３を容器本体１に装着したときに係止凸部１９の下面に係止するようになっている。
水平延出部３４および垂下部３５は、それぞれ周側枠２の上面および外側面に沿うように形成されている。
【００２７】
容器本体１内に被包装物として食品を収容し、容器本体１に蓋３を装着することによって、食品包装体が得られる。
【００２８】
図９に示すように、複数の包装用容器１０を積み重ねると、上に位置する周側枠２の下端面が下に位置する周側枠２の上端面に当接するようにして包装用容器１０が積み上げられる。
側壁部５の端部は周側枠２より高く形成されているので、下に位置する包装用容器１０の容器本体１の上部は、上に位置する包装用容器１０の周側枠２内に収容される。このため、包装用容器１０を安定に積み重ねることができる。
また、包装用容器１０を積み重ねる際には、下の包装用容器１０の容器本体１によって上の包装用容器１０が案内されるため、積み重ね作業が容易になる。
容器本体１の外板部１６は内方に傾斜しているが、外板部１６の外面には係止凸部１９が形成されているため、下の包装用容器１０の容器本体１と上の包装用容器１０の周側枠２の内面との距離は小さくなる。このため、これら２つの包装用容器１０の水平方向の位置ずれは起こりにくくなる。
【００２９】
図１〜図３に示すように、包装用容器１０では、側壁部５に低縁部２０が形成されているため、低縁部２０がない場合に比べて容器本体１が目立ちにくくなる。外観の点で優れた周側枠２を目立たせることができるため、包装用容器１０の見栄えを良くすることができる。
例えば、周側枠２に木目の装飾を施せば、高級感のある木製の折り箱に近いイメージを利用者に喚起させることができ、商品価値を高めることができる。
周側枠２を目立たせることができるため、周側枠２を低く形成した場合でも外観が良好となる。
外観を劣化させずに周側枠２を低く形成できるため、図９に示すように、複数積み重ねたときの高さを低くでき、運送や保管に要するコストを抑えることができる。
【００３０】
包装用容器１０では、低縁部２０の形成位置は側壁部５の中間部であるため、低縁部２０がない場合に比べ、被包装物（食品等）の収容量が大きく劣ることはない。これは、側壁部５の中間部は、端部に比べ、被包装物を保持する機能への寄与が小さいため、中間部に低縁部２０に形成しても収容量の低下は小さいからである。
【００３１】
図１０は、包装用容器の平面視形状の他の例を示すものである。
図１０に示す包装用容器５０は、平面視略八角形の容器本体５１の外側に、平面視略八角形の周側枠５２が形成されている。
容器本体５１は、平面視略八角形の底板部５４の８つの辺部５４ａに、それぞれ側壁部５５が形成されている。
側壁部５５の端部５５ａは、周側枠５２より高く形成され、側壁部５５の中間部には、端部５５ａより低く形成された低縁部５６が形成されている。
符号５７は、容器本体５１に装着される蓋（図示略）に係止する係止凸部である。
【００３２】
図１〜図１０に示す例では、容器本体は平面視多角形に形成されているが、容器本体の形状はこれに限定されず、辺部は曲線であってもよい。
図１１に示す包装用容器６０は、平面視略円形の容器本体６１の外側に、平面視略円形の周側枠６２が形成されている。
容器本体６１は、平面視略円形の底板部６４の周縁を４分割した円弧状の辺部６４ａに、それぞれ側壁部６５が形成されている。これら４つの側壁部６５は、全体として１つの円筒を形成している。
側壁部６５の端部６５ａは、周側枠６２より高く形成され、側壁部６５の中間部には、端部６５ａより低く形成された低縁部６６が形成されている。
符号６７は、容器本体６１に装着される蓋（図示略）に係止する係止凸部である。
【００３３】
図１２は、低縁部の形状の他の例を示すものである。
図１２に示す包装用容器７０は、容器本体７１の側壁部５に形成された低縁部７２の形状以外は図１に示す包装用容器１０と同じ構成である。低縁部７２は、略矩形状の凹部とされている。
【図面の簡単な説明】
【００３４】
【図１】本発明の包装用容器の一例の容器本体と周側枠を示す斜視図である。
【図２】容器本体と周側枠の正面図である。
【図３】容器本体と周側枠を示すもので、（ａ）は平面図、（ｂ）は側断面図、（ｃ）は正断面図である。
【図４】容器本体の要部を示す断面図である。
【図５】蓋を示すもので、（ａ）は平面図、（ｂ）は側面図、（ｃ）は正面図である。
【図６】蓋付き包装用容器を示す斜視図である。
【図７】蓋付き包装用容器を示す側面図である。
【図８】蓋付き包装用容器の要部を示す断面図である。
【図９】２つの包装用容器を積み重ねた状態を示す断面図である。
【図１０】包装用容器の他の例を示すものである。
【図１１】包装用容器の他の例を示すものである。
【図１２】包装用容器の他の例を示すものである。
【符号の説明】
【００３５】
１・・・容器本体、２・・・周側枠、３・・・蓋、４・・・底板部、５・・・側壁部、５ｃ・・・端部、６・・・収容部、７・・・位置表示突起、８・・・起立部、９・・・折り返し部、１０、５０、６０、７０・・・包装用容器、１６・・・外板部、１９・・・係止凸部、２０・・・低縁部、２２・・・傾斜部、３９・・・蓋係止部。
【図１】
0004953986.tif 000002
【図２】
0004953986.tif 000003
【図３】
0004953986.tif 000004
【図４】
0004953986.tif 000005
【図５】
0004953986.tif 000006
【図６】
0004953986.tif 000007
【図７】
0004953986.tif 000008
【図８】
0004953986.tif 000009
【図９】
0004953986.tif 000010
【図１０】
0004953986.tif 000011
【図１１】
0004953986.tif 000012
【図１２】
0004953986.tif 000013